(57)【要約】【課題】上下方向に延びる周壁と、この周壁に囲まれた収容部を上下方向に区分する２枚の内容物挟持片とを有し、これら２枚の内容物挟持片の間に内容物を挟持して保持する包装箱であって、２枚の内容物挟持片の位置を固定する脚部を利用することなく、内容物の位置を固定して、外部の衝撃から保護することのできる包装箱を提供すること。【解決手段】２枚の内容物挟持片の一端を上下方向に移動困難に周壁内面に固定する。そして、周壁内面に２つの突出部を設け、かつ、これら２つの突出部を上下方向に並んで配置し、内容物挟持片の端部のうち、前記固定部位を除くいずれかの端部をこれら２つの突出部に挟んで、上下方向に移動困難に固定する。【選択図】図５
2019006402.tif 000002
【特許請求の範囲】
【請求項１】
上下方向に延びる周壁と、この周壁に囲まれた収容部を上下方向に区分する２枚の内容物挟持片とを有し、これら２枚の内容物挟持片の間に内容物を挟持して保持する包装箱において、
前記内容物挟持片が、いずれも、その一端が上下方向に移動困難に周壁内面に固定されており、
一方、周壁内面に２つの突出部が設けられており、かつ、これら２つの突出部が上下方向に並んでおり、前記内容物挟持片の端部のうち、前記固定部位を除くいずれかの端部がこれら２つの突出部に挟まれて、上下方向に移動困難に固定されている、
ことを特徴とする包装箱。
【請求項２】
前記突出部が前記周壁の内面に対して進退自在に構成されていることを特徴とする請求項１に記載の包装箱。
【請求項３】
前記突出部を解消させたとき、前記内容物挟持片が前記固定部位を中心として上下方向に回動自在となるように構成されていることを特徴とする請求項２に記載の包装箱。
【請求項４】
２枚の内容物挟持片の前記固定部位が互いに同一の位置に配置されていることを特徴とする請求項１〜３のいずれかに記載の包装箱。
【請求項５】
２枚の内容物挟持片がいずれも矩形状を有しており、前記固定部位がその一辺に設けられていると共に、この辺に対向する辺又はこの辺の角部に前記突出部が設けられていることを特徴とする請求項４に記載の包装箱。
【請求項６】
２枚の内容物挟持片がいずれも矩形状を有しており、２枚の内容物挟持片の前記固定部位が互いに隣接する辺又はこの辺の角部に設けられていることを特徴とする請求項１〜３のいずれかに記載の包装箱。
【請求項７】
一枚のブランクで組み立てたものであることを特徴とする請求項１〜６のいずれかに記載の包装箱。
【発明の詳細な説明】
【技術分野】
【０００１】
本発明は、上下方向に延びる周壁と、この周壁に囲まれた収容部を上下方向に区分する２枚の内容物挟持片とを有し、これら２枚の内容物挟持片の間に内容物を挟持して保持する包装箱に関する。
【０００２】
このように、周壁に囲まれた収容部に２枚の内容物挟持片を設け、この内容物挟持片に内容物を挟持して保持する包装箱では、包装箱の外面に加えられた衝撃が内容物に伝わらないから、この内容物を衝撃から保護することができる。
【背景技術】
【０００３】
このように内容物を衝撃から保護する包装箱は公知であり（特許文献１参照）、衝撃によって損傷し易い内容物を収容する包装箱として知られている。
【０００４】
この包装箱は、例えば、図１０に示すような構造を有している。図１０はその説明用分解斜視図である。
【０００５】
この包装箱は、外箱に加えて、上挟持体と下挟持体とでその主要部が構成されている。
【０００６】
外箱は直方体の紙箱である。図示の例では、上方を開口部としている。上挟持体と下挟持体とは、いずれも、挟持用フィルムの周囲に脚部を設けたものである。なお、これら上挟持体の脚部の長さと下挟持体の脚部の長さとの合計長さは、外箱の深さに等しくなるように構成されている。
【０００７】
そして、まず、下挟持体を外箱に収容する。このとき、下挟持体のフィルムが上側、すなわち、開口部側を向くように下挟持体を外箱に収容する。次に、内容物を下挟持体のフィルム面に位置するように収容する。次に、上挟持体を外箱に収容する。上挟持体は、そのフィルムと下挟持体のフィルムとの間に内容物を挟持するように、上挟持体のフィルムを下側に向けて収容する。そして、外箱の蓋を閉じることにより、下挟持体のフィルムと上挟持体のフィルムとは、いずれも、外箱の底面と蓋との間で上下方向に移動困難に位置決めされる。内容物はこれら両フィルム間に挟持されているから、その位置も固定される。そして、このため、外箱に衝撃が加えられた場合でも、その衝撃が内容物に伝わることがなく、保護できるのである。
【先行技術文献】
【特許文献】
【０００８】
【特許文献１】特許第５７８２６６３号公報
【発明の概要】
【発明が解決しようとする課題】
【０００９】
ところで、この包装箱においては、上下のフィルムの位置、すなわち、内容物の上下方向の位置を上下の挟持体に設けられた脚部の長さによって決定している。
【００１０】
本発明は、このような脚部を利用することなく、内容物の位置を固定して、外部の衝撃から保護することのできる包装箱を提供することを目的とするものである。
【課題を解決するための手段】
【００１１】
すなわち、請求項１に記載の発明は、上下方向に延びる周壁と、この周壁に囲まれた収
容部を上下方向に区分する２枚の内容物挟持片とを有し、これら２枚の内容物挟持片の間に内容物を挟持して保持する包装箱において、
前記内容物挟持片が、いずれも、その一端が上下方向に移動困難に周壁内面に固定されており、
一方、周壁内面に２つの突出部が設けられており、かつ、これら２つの突出部が上下方向に並んでおり、前記内容物挟持片の端部のうち、前記固定部位を除くいずれかの端部がこれら２つの突出部に挟まれて、上下方向に移動困難に固定されている、
ことを特徴とする包装箱である。
【００１２】
次に、請求項２に記載の発明は、前記突出部が前記周壁の内面に対して進退自在に構成されていることを特徴とする請求項１に記載の包装箱である。
【００１３】
次に、請求項３に記載の発明は、前記突出部を解消させたとき、前記内容物挟持片が前記固定部位を中心として上下方向に回動自在となるように構成されていることを特徴とする請求項２に記載の包装箱である。
【００１４】
次に、請求項４に記載の発明は、２枚の内容物挟持片の前記固定部位が互いに同一の位置に配置されていることを特徴とする請求項１〜３のいずれかに記載の包装箱である。
【００１５】
次に、請求項５に記載の発明は、２枚の内容物挟持片がいずれも矩形状を有しており、前記固定部位がその一辺に設けられていると共に、この辺に対向する辺又はこの辺の角部に前記突出部が設けられていることを特徴とする請求項４に記載の包装箱である。
【００１６】
次に、請求項６に記載の発明は、２枚の内容物挟持片がいずれも矩形状を有しており、２枚の内容物挟持片の前記固定部位が互いに隣接する辺又はこの辺の角部に設けられていることを特徴とする請求項１〜３のいずれかに記載の包装箱である。
【００１７】
次に、請求項７に記載の発明は、一枚のブランクで組み立てたものであることを特徴とする請求項１〜６のいずれかに記載の包装箱である。
【発明の効果】
【００１８】
内容物挟持片の上下方向の位置は、その２ケ所で上下方向の固定することによって決定される。本発明においては、その２ケ所のうちの１ケ所として内容物挟持片の一端を利用し、この一端（固定部位）を上下方向に移動困難に周壁内面に固定する。そして、前記２ケ所のうちの他の１ケ所として、固定部位を除くいずれかの端部を利用し、この端部を、周壁内面の２つの突出部の間に挟んで固定する。このため、これら２枚の内容物挟持片は、脚部を要することなく、その上下方向に固定されるのである。なお、内容物はこれら２枚の内容物挟持片に挟持して固定するから、包装箱外部から加えられた衝撃がこの内容物に加わることがない。
【図面の簡単な説明】
【００１９】
【図１】図１は本発明の包装箱の具体例に係るブランクの説明用平面図である。
【図２】図２は本発明の包装箱の具体例に係るブランクの説明用要部断面図である。
【図３】図３は本発明の包装箱の具体例の包装箱組み立て工程に係り、図３（ａ）はその説明用要部斜視図、図３（ｂ）はその説明用要部断面図である。
【図４】図４は本発明の包装箱の具体例の包装箱組み立て工程に係り、図４（ａ）はその説明用要部斜視図、図４（ｂ）はその説明用要部断面図である。
【図５】図５は本発明の包装箱の具体例の包装箱組み立て工程の説明用要部斜視図である。
【図６】図６は本発明の包装箱の具体例の説明用斜視図である。
【図７】図７は本発明の包装箱の第２の具体例に係るブランクの説明用平面図である。
【図８】図８は本発明の包装箱の第２の具体例の包装箱組み立て工程の説明用要部斜視図である。
【図９】図９は本発明の包装箱の第２の具体例の説明用斜視図である。
【図１０】図１０は従来の包装箱の説明用分解斜視図である。
【発明を実施するための形態】
【００２０】
以下、図面を参照して、本発明の具体例を説明する。図１は本発明の包装箱の具体例に係るブランクの説明用平面図である。図２は本発明の包装箱の具体例に係るブランクの説明用要部断面図である。また、図３、図４は、それぞれ、の具体例の包装箱組み立て工程に係り、図３（ａ）、図４（ａ）はその説明用要部斜視図、図３（ｂ）、図４（ｂ）はその説明用要部断面図である。また、図５は、これに続く包装箱組み立て工程の説明用要部斜視図であり、図６は組み立てられた包装箱の具体例の説明用斜視図である。
【００２１】
なお、この具体例の説明に先立ち、図面に付した符号のつけ方について説明しておきたい。
【００２２】
この具体例の包装箱は、大別して４つの領域に区分できる。その一つは、包装箱の外面を構成する外箱領域である。この外箱領域を構成する各紙片には、１００番台の数字を符号として付している。また、この外箱領域を構成する各紙片の外形線には、１０番台の数字と小文字のアルファベットとの組み合わせから成る符号を付している。なお、これら外形線には折り曲げ罫線も含まれており、図１では、これら折り曲げ罫線を破線で図示している。
【００２３】
次に、前記４つの領域のうち、２番目の領域と３番目の領域は、内容物挟持片を含む挟持領域である。この挟持領域は、後述するように、内容物挟持片に加えて繋ぎ片を有している。そして、上側に位置する挟持領域（上側挟持領域）を構成する各紙片には、２００番台の数字を符号として付しており、これら紙片の外形線には、２０番台の数字と小文字のアルファベットとの組み合わせから成る符号を付している。また、下側に位置する挟持領域（下側挟持領域）を構成する各紙片には、３００番台の数字を符号として付しており、これら紙片の外形線には、３０番台の数字と小文字のアルファベットとの組み合わせから成る符号を付している。もちろん、これら外形線には折り曲げ罫線も含まれており、図１では、これら折り曲げ罫線を破線で図示している。
【００２４】
そして、前記４つの領域のうち、４番目の領域は、周壁内面に向って突出する２つの突出部を含む突出部構成領域であり、この突出部構成領域に含まれる各紙片には、４００番台の数字を符号として付している。また、紙片の外形線には、４０番台の数字と小文字のアルファベットとの組み合わせから成る符号を付している。もちろん、これら外形線には折り曲げ罫線も含まれている。また、図１において、これら折り曲げ罫線を破線で図示している点も前述のとおりである。
【００２５】
これら図１〜図６に図示する具体例は１枚のブランクで組み立てた包装箱である。そこで、説明の便宜のため、この包装箱のブランクから説明する。なお、ブランクには、符号Ａを付して図示している。
【００２６】
前述のように、この包装箱は４つの領域で構成されている。その第１の領域は、外箱領域である。この外箱領域には、包装箱の周壁を構成する４つの紙片が折り曲げ罫線を介して連接されている。すなわち、正面板１１０，右側面板１２０、背面板１３０、左側面板１４０である。
【００２７】
正面板１１０は、１０ａ，１０ｂ，１０ｃ，１０ｄの４本の外形線を四辺とする矩形状である。これら四辺のうち、辺１０ｄは折り曲げ罫線で、この折り曲げ罫線１０ｄを介して、正面板１１０の右側に右側面板１２０が連接されている。
【００２８】
また、辺１０ｂ，辺１０ｃも折り曲げ罫線で、この折り曲げ罫線１０ｂ，１０ｃを介して、正面板１１０の上下に、それぞれ、接着片１１１，１１２が連接されている。
【００２９】
次に、右側面板１２０は、４本の外形線１０ｄ，１０ｅ，１０ｆ，１０ｇを四辺とする矩形状である。前述のように、辺１０ｄは折り曲げ罫線で、この折り曲げ罫線１０ｄを介して、右側面板１２０の左側に正面板１１０が連接されている。また、辺１０ｄと対向する辺１０ｇも折り曲げ罫線で、この折り曲げ罫線１０ｇを介して、右側面板１２０の右側に背面板１３０が連接されている。
【００３０】
また、辺１０ｅも折り曲げ罫線で、この折り曲げ罫線１０ｅを介して、右側面板１２０の上側に蓋片１２１が連接されている。この蓋片１２１も矩形状で、その外形線は１０ｅ，１０ｋ，１０ｍ，１０ｎである。そして、辺１０ｅと対向する辺１０ｋを折り曲げ罫線として、蓋片１２１の上側に差込片１２３が連接されている。
【００３１】
また、右側面板１２０の四辺のうち、辺１０ｆも折り曲げ罫線で、この折り曲げ罫線１０ｆを介して、右側面板１２０の上側に底片１２２が連接されている。この底片１２２も蓋片１２１と同形同大の矩形状で、その外形線は１０ｆ，１０ｏ，１０ｐ，１０ｑである。そして、辺１０ｆと対向する辺１０ｏを折り曲げ罫線として、底片１２２の下側に差込片１２４が連接されている。
【００３２】
次に、背面板１３０は、４本の外形線１０ｇ，１０ｈ，１０ｉ，１０ｊを四辺とし、正面板１１０と同形同大の矩形状である。前述のように、辺１０ｇは折り曲げ罫線で、この折り曲げ罫線１０ｇを介して、背面板１３０の左側に右側面板１２０が連接されている。また、辺１０ｇと対向する辺１０ｊも折り曲げ罫線で、この折り曲げ罫線１０ｊを介して、背面板１３０の右側に左側面板１４０が連接されている。
【００３３】
なお、辺１０ｈ，１０ｉも折り曲げ罫線で、この折り曲げ罫線１０ｈ，１０ｉを介して、背面板１３０の上下に、それぞれ、接着片１３１，１３２が連接されている。
【００３４】
次に、左側面板１４０は、４本の外形線１０ｊ，２０ａ，３０ａ，４０ａを四辺とし、右側面板１２０と同形同大の矩形状である。前述のように、辺１０ｊは折り曲げ罫線で、この折り曲げ罫線１０ｊを介して、右側面板１２０の左側に背面板１３０が連接されている。
【００３５】
以上の説明から分かるように、折り曲げ罫線１０ｄ，１０ｇ，１０ｊを、それぞれ、山折りすることにより、正面板１１０，右側面板１２０、背面板１３０および左側面板１４０で構成され、上下方向に延びる角筒状の周壁を形成することができる。なお、この角筒状の周壁は、後述する第１帯状部４１０の外面側に正面板１１０を接着することにより、その形状を固定することができる。
【００３６】
そして、こうして形成した角筒状周壁に対し、折り曲げ罫線１０ｆ，１０ｏを山折りして差込片１２４を差し込むことにより、その底部を底片１２２で閉塞することができる。また、折り曲げ罫線１０ｅ，１０ｋを山折りして差込片１２３を差し込むことにより、その上部を蓋片１２１で閉塞することができる。
【００３７】
次に、左側面板１４０の四辺のうち、辺２０ａ，辺３０ａ，辺４０ａも折り曲げ罫線で
、これら折り曲げ罫線２０ａ，３０ａ，４０ａを介して、それぞれ、上側挟持領域、下側挟持領域及び突出部構成領域が連接されている。
【００３８】
そこで、まず、上側挟持領域について説明すると、上側挟持領域は繋ぎ片２１０と上側内容物挟持片２２０とで構成されている。すなわち、まず、左側面板１４０には、折り曲げ罫線２０ａを介して、左側面板１４０の上側に繋ぎ片２１０が連接されている。この繋ぎ片２１０は、折り曲げ罫線２０ａに加えて、外形線２０ｂ，２０ｃ，２０ｄを四辺とする矩形状である。そして、折り曲げ罫線２０ａに対向する辺２０ｂも折り曲げ罫線であり、この折り曲げ罫線２０ｂを介して、上側内容物挟持片２２０が連接されている。繋ぎ片２１０は、包装箱中の上側内容物挟持片２２０の上下方向の位置を決定するものである。この点については後述する。
【００３９】
上側内容物挟持片２２０は、このように、折り曲げ罫線２０ｂを介して、繋ぎ片２１０の上側に連接された紙片である。この上側内容物挟持片２２０は、折り曲げ罫線２０ｂに加えて、外形線２０ｅ，２０ｆ，２０ｇを四辺とする矩形状であり、前記角筒状周壁の断面形状と略同形同大に構成されている。この例では、角筒状周壁の断面形状は蓋片１２１及び底片１２２と同形同大に構成されているから、上側内容物挟持片２２０は蓋片１２１及び底片１２２と同形同大の矩形状である。
【００４０】
ところで、この上側内容物挟持片２２０は、その中央に孔２２１が設けられており、この孔２２１を塞ぐようにフレキシブルなフィルムＢが貼り合わされている。図２はこの部位を示す説明用要部断面図である。なお、図１及び図２において、２２２は孔２２１を囲む枠状部位を示している。
【００４１】
フレキシブルフィルムＢは内容物を上下から挟持して固定するものである。このようなフレキシブルフィルムＢとしては、任意のプラスチックフィルムが使用できる。例えば、ポリエチレンフィルム、ポリプロピレンフィルム、ポリエステルフィルム、ポリアミドフィルム等である。また、フレキシブルフィルムの代わりに、弾性のあるシートを使用することも可能である。例えばゴムシートである。
【００４２】
この上側挟持領域は、折り曲げ罫線２０ａを山折りすると共に、折り曲げ罫線２０ｂを谷折りして組み立てることができる。すなわち、折り曲げ罫線２０ａを山折りすることにより、左側面板１４０の内面側に沿うように繋ぎ片２１０を折り重ねる。そして、折り曲げ罫線２０ｂを谷折りすることにより、上側内容物挟持片２２０が筒状周壁に囲まれた内容物収容部を上下方向に区分するように構成することができる。このとき、上側内容物挟持片２２０の上下方向の位置は、折り曲げ罫線２０ａと折り曲げ罫線２０ｂとの間の長さ、すなわち、繋ぎ片２１０の高さ（辺２０ｃ又は辺２０ｄの長さ）によって決定され、この折り曲げ罫線２０ｂの位置を固定部位として上下方向に移動困難に固定される。なお、この状態では、上側内容物挟持片２２０はこの固定部位を中心として、上下方向に回動自在である。後に説明する突出部構成領域は、この固定部位を除く上側内容物挟持片２２０の端部を上下方向に移動困難に固定して、上側内容物挟持片２２０の前記回動を防止する機能を有するものである。
【００４３】
次に、下側挟持領域について説明する。下側挟持領域は繋ぎ片３１０と上側内容物挟持片３２０とで構成されている。すなわち、まず、左側面板１４０には、折り曲げ罫線３０ａを介して、左側面板１４０の下側に繋ぎ片３１０が連接されている。この繋ぎ片３１０は、折り曲げ罫線３０ａに加えて、外形線３０ｂ，３０ｃ，３０ｄを四辺とする矩形状である。そして、折り曲げ罫線３０ａに対向する辺３０ｂも折り曲げ罫線であり、この折り曲げ罫線３０ｂを介して、下側内容物挟持片３２０が連接されている。繋ぎ片３１０は、包装箱中の上側内容物挟持片３２０の上下方向の位置を決定するものである。この点につ
いては後述する。
【００４４】
下側内容物挟持片３２０は、このように、折り曲げ罫線３０ｂを介して、繋ぎ片３１０の下側に連接された紙片である。この下側内容物挟持片３２０は、折り曲げ罫線３０ｂに加えて、外形線３０ｅ，３０ｆ，３０ｇを四辺とする矩形状であり、前記角筒状周壁の断面形状と略同形同大に構成されている。この例では、角筒状周壁の断面形状は蓋片１２１，底片１２２及び上側内容物挟持片２２０と同形同大に構成されているから、下側内容物挟持片３２０は蓋片１２１，底片１２２及び上側内容物挟持片２２０と同形同大の矩形状である。
【００４５】
下側内容物挟持片３２０は、その中央に孔３２１が設けられており、この孔３２１を塞ぐようにフレキシブルなフィルムＢが貼り合わされている。図２はこの部位を示す説明用要部断面図である。なお、図１及び図２において、２２２は孔を囲む枠状部位を示している。
【００４６】
なお、この例では、上側内容物挟持片２２０及び下側内容物挟持片３２０として、中央にフレキシブルフィルムＢを貼り合わせたものを使用したが、そのいずれか一方が、孔やフレキシブルフィルムＢのない紙片であってもよい。この場合にも、上側内容物挟持片３２０及び下側内容物挟持片３２０のいずれか一方にフレキシブルフィルムＢが貼られているので、上下の内容物挟持片２２０，３２０の間に内容物を緊密に挟持して固定することができるのである。
【００４７】
そして、この下側挟持領域も、上側挟持領域と同様に組み立てることができる。すなわち、折り曲げ罫線３０ａを山折りすることにより、左側面板１４０の内面側に沿うように繋ぎ片３１０を折り重ねる。そして、折り曲げ罫線３０ｂを谷折りすることにより、下側内容物挟持片３２０が筒状周壁に囲まれた内容物収容部を上下方向に区分するように配置する。このとき、下側内容物挟持片３２０の上下方向の位置は、折り曲げ罫線３０ａと折り曲げ罫線３０ｂとの間の長さ、すなわち、繋ぎ片３１０の高さ（辺３０ｃ又は辺３０ｄの長さ）によって決定され、この折り曲げ罫線３０ｂの位置を固定部位として上下方向に移動困難に固定される。この状態では、下側内容物挟持片３２０はこの固定部位を中心として、上下方向に回動自在である。後に説明する突出部構成領域は、上側内容物挟持片２２０の回動を防止する機能に加えて、前記固定部位を除く下側内容物挟持片３２０の端部を上下方向に移動困難に固定して、下側内容物挟持片３２０の前記回動を防止する機能を有する。
【００４８】
このように上側挟持領域と下側挟持領域とを組み立てたとき、上側内容物挟持片２２０と下側内容物挟持片３２０とは、いずれも、筒状周壁に囲まれた内容物収容部を上下方向に区分するから、この上側内容物挟持片２２０と下側内容物挟持片３２０との間で内容物を挟持することができる。このような理由から、上側内容物挟持片２２０と下側内容物挟持片３２０との間の距離は十分に小さいことが望ましい。
【００４９】
この上側内容物挟持片２２０と下側内容物挟持片３２０との間の距離は、繋ぎ片２１０の高さと繋ぎ片３１０の高さとの合計によって決定される。すなわち、この合計が筒状周壁の高さに等しいとき、折り曲げ罫線２０ｂと折り曲げ罫線３０ｂとは同一の位置で重なり合い、したがって、上側内容物挟持片２２０の固定部位と下側内容物挟持片３２０の固定部位とは互いに同一の位置に配置されることとなる。そして、このため、上側内容物挟持片２２０と下側内容物挟持片３２０とは互いに重なり合って密着する。この例では、繋ぎ片２１０の高さ（すなわち、辺２０ｃ又は辺２０ｄの長さ）は筒状周壁の高さ（すなわち、辺１０ｄ，辺１０ｇ，１０ｊ又は辺４０ａの長さ）の１／２に等しく、また、繋ぎ片３１０の高さ（すなわち、辺３０ｃ又は辺３０ｄの長さ）も筒状周壁の高さ（すなわち、
辺１０ｄ，辺１０ｇ，１０ｊ又は辺４０ａの長さ）の１／２に等しく構成されているから、上側内容物挟持片２２０と下側内容物挟持片３２０とは、筒状周壁の上下方向中央で互いに重なり合って密着する。そして、このため、これら上側内容物挟持片２２０と下側内容物挟持片３２０で内容物を挟持すると、この内容物の上下に緊密にフレキシブルフィルムＢが密着して、内容物を固定することが可能となる。
【００５０】
なお、前述のように、上側内容物挟持片２２０と下側内容物挟持片３２０との間には、わずかな隙間があってもよい。この場合には、繋ぎ片２１０の高さと繋ぎ片３１０の高さとの合計は、筒状周壁の高さよりわずかに短い。この場合にも、上側内容物挟持片２２０と下側内容物挟持片３２０との間で内容物を固定することが可能である。
【００５１】
次に、突出部構成領域について説明する。すなわち、左側面板１４０の右側には、折り曲げ罫線４０ａを介して帯状の突出部構成領域が連接されている。この帯状の突出部構成領域は、７本の折り曲げ罫線４０ｂ，４０ｃ，４０ｈ，４０ｋ，４０ｏ，４０ｒ，４０ｕによって８つの領域４１０，４２０，４３０，４４０、４５０，４６０，４７０，４８０に区分できる。なお、これら７本の折り曲げ罫線４０ｂ，４０ｃ，４０ｈ，４０ｋ，４０ｏ，４０ｒ，４０ｕは、いずれも、折り曲げ罫線４０ａと平行に、包装箱の上下方向に延びる罫線で、折り曲げ罫線４０ａから折り曲げ罫線４０ｂ，４０ｃ，４０ｈ，４０ｋ，４０ｏ，４０ｒ，４０ｕから順に並んでいる。このため、これら折り曲げ罫線４０ｂ，４０ｃ，４０ｈ，４０ｋ，４０ｏ，４０ｒ，４０ｕに順番をつけて、折り曲げ罫線４０ａから順に、「第１折り曲げ罫線４０ｂ」、「第１折り曲げ罫線４０ｃ」等と呼ぶ。また、これら折り曲げ罫線４０ｂ，４０ｃ，４０ｈ，４０ｋ，４０ｏ，４０ｒ，４０ｕで区分される領域も、折り曲げ罫線４０ａから順に、「第１帯状部４１０」、「第２帯状部４２０」と呼ぶ。
【００５２】
なお、第１折り曲げ罫線４０ｂと第３折り曲げ罫線４０ｈとの間には、これら両罫線４０ｂ，４０ｈを繋いでスリットｘが設けられており、このスリットｘによって、第２帯状部４２０は上側第２帯状部４２１と下側第２帯状部４２２とに区分されており、第３帯状部４３０も上側第３帯状部４３１と下側第３帯状部４３２とに区分されている。このスリットｘは、組み立てた上側内容物挟持片２２０と下側内容物挟持片３２０の端部を差し込んで、上側第２帯状部４２１と下側第２帯状部４２２との間、及び上側第３帯状部４３１と下側第３帯状部４３２との間に上側内容物挟持片２２０と下側内容物挟持片３２０の端部を固定するもので、その上下方向の位置は、組み立てられたこれら上側内容物挟持片２２０と下側内容物挟持片３２０の上下方向の位置に等しい。この例では、上側内容物挟持片２２０と下側内容物挟持片３２０とは、筒状周壁の上下方向中央で互いに密着するから、スリットｘの位置も筒状周壁の上下方向中央の位置、すなわち、帯状の突出部構成領域の上下方向中央の位置である。
【００５３】
また、同様に、第４折り曲げ罫線４０ｋと第６折り曲げ罫線４０ｒとの間にも、これら両罫線４０ｋ，４０ｒを繋いでスリットｙが設けられており、このスリットｙによって、第５帯状部４５０は上側第５帯状部４５１と下側第５帯状部４５２とに区分されており、第６帯状部４６０も上側第６帯状部４６１と下側第６帯状部４６２とに区分されている。このスリットｙも、組み立てた上側内容物挟持片２２０と下側内容物挟持片３２０の端部を差し込んで、上側第５帯状部４５１と下側第５帯状部４５２との間、及び上側第６帯状部４６１と下側第６帯状部４６２との間に上側内容物挟持片２２０と下側内容物挟持片３２０の端部を固定するもので、その上下方向の位置は、組み立てられたこれら上側内容物挟持片２２０と下側内容物挟持片３２０の上下方向の位置に等しい。この例では、上側内容物挟持片２２０と下側内容物挟持片３２０とは、筒状周壁の上下方向中央で互いに密着するから、スリットｙの位置も筒状周壁の上下方向中央の位置、すなわち、帯状の突出部構成領域の上下方向中央の位置である。
【００５４】
次に、折り曲げ罫線４０ａと第２折り曲げ罫線４０ｃとの間の距離は、正面板１１０の幅に等しいか、わずかに正面板１１０の幅より長く構成されている。すなわち、折り曲げ罫線４０ａと第２折り曲げ罫線４０ｃとの間の距離は、図中、正面板１１０の辺１０ｂ又は辺１０ｃの長さと等しいか、わずかに長く構成されている。
【００５５】
また、第２折り曲げ罫線４０ｃと第５折り曲げ罫線４０ｏとの間の距離（図中、外形線４０ｆ，４０ｉ，４０ｍの合計長さ又は外形線４０ｇ，４０ｊ，４０ｎの合計長さ）は、右側面板１２０の幅に等しいか、わずかに正面板１１０の幅より長く構成されている。すなわち、第２折り曲げ罫線４０ｃと第５折り曲げ罫線４０ｏとの間の距離は、図中、右側面板１２０の辺１０ｅ又は辺１０ｆの長さと等しいか、わずかに長く構成されている。
【００５６】
また、第５折り曲げ罫線４０ｏと第７折り曲げ罫線４０ｕとの間の距離は、正面板１１０の幅に等しいか、わずかに正面板１１０の幅より長く構成されている。すなわち、第５折り曲げ罫線４０ｏと第７折り曲げ罫線４０ｕとの間の距離は、図中、正面板１１０の辺１０ｂ又は辺１０ｃの長さと等しいか、わずかに長く構成されている。
【００５７】
このため、これら第２折り曲げ罫線４０ｃ、第５折り曲げ罫線４０ｏ、第７折り曲げ罫線４０ｕを山折りして、その端部の第８帯状部４８０を接着片として左側面板１４０に接着すると、この折り曲げられた突出部構成領域と左側面板１４０の両者によって角筒状に構成される。これら突出部構成領域と左側面板１４０の両者によって構成された角筒の断面形状は、筒状周壁の断面形状にほぼ等しい。すなわち、ほぼ同形同大の矩形状である。
【００５８】
図３はこのような状態を図示したもので、図３（ａ）はその図３（ａ）はその説明用要部斜視図、図３（ｂ）はその説明用要部断面図である。この図から分かるように、第８帯状部４８０を接着片として左側面板１４０に接着し、第２折り曲げ罫線４０ｃ、第５折り曲げ罫線４０ｏ、第７折り曲げ罫線４０ｕを直角に山折りすることにより、突出部構成領域と左側面板１４０の両者によって角筒状に構成することができる。なお、このとき、上側内容物挟持片２２０の固定部位（折り曲げ罫線２０ｂ）と下側内容物挟持片３２０の固定部位（折り曲げ罫線３０ｂ）とは互いに重なり合っており、これら折り曲げ罫線２０ｂ及び折り曲げ罫線３０ｂに対向する辺の角部にスリットｘ及びスリットｙが位置している。
【００５９】
こうして突出部構成領域を折り曲げた後、第１折り曲げ罫線４０ｂ及び第３折り曲げ罫線４０ｈを山折し、第２折り曲げ罫線４０ｃを谷折りすることにより、これら第１折り曲げ罫線４０ｂと第３折り曲げ罫線４０ｈとの間の領域、すなわち、第２帯状部４２０と第３帯状部４３０とを内面側に突出させて、突出部を形成することができる。前述のように、第２帯状部４２０はスリットｘによって上下に上側第２帯状部４２１と下側第２帯状部４２２とに区分されており、第３帯状部４３０も上側第３帯状部４３１と下側第３帯状部４３２とに区分されているから、この突出部は上下の突出部に区分することができる。上側の突出部は上側第２帯状部４２１と上側第３帯状部４３１とで構成される部位である。また、下側の突出部は下側第２帯状部４２２と下側第３帯状部４３２とで構成される部位である。そして、スリットｘに上側内容物挟持片２２０の端部や下側内容物挟持片３２０の端部を差し込むことにより、上下の突出部の間、すなわち、上側第２帯状部４２１と下側第２帯状部４２２との間及び上側第３帯状部４３１と下側第３帯状部４３２との間にこれら内容物挟持片２２０，３２０を挟持して、上下方向に移動困難にこれら内容物挟持片２２０，３２０を固定することができる。
【００６０】
なお、この説明から容易に理解できるように、第２帯状部４２０と第３帯状部４３０とで構成される突出部は進退自在である。すなわち、第１折り曲げ罫線４０ｂ及び第３折り
曲げ罫線４０ｈを山折し、第２折り曲げ罫線４０ｃを谷折りすることによって、突出部を内側に突出させることができ、また、第１折り曲げ罫線４０ｂ及び第３折り曲げ罫線４０ｈを元の状態に戻して折り曲げを解消すると共に、第２折り曲げ罫線４０ｃを山折りすることにより、図３に示すように、突出部を解消することができる。
【００６１】
次に、第４折り曲げ罫線４０ｋ及び第６折り曲げ罫線４０ｒを山折し、第５折り曲げ罫線４０ｏを谷折りすることにより、これら第４折り曲げ罫線４０ｋと第６折り曲げ罫線４０ｒとの間の領域、すなわち、第５帯状部４５０と第６帯状部４６０とを内面側に突出させて、突出部を形成することができる。前述のように、第５帯状部４５０はスリットｙによって上下に上側第５帯状部４５１と下側第５帯状部４５２とに区分されており、第６帯状部４６０も上側第６帯状部４６１と下側第６帯状部４６２とに区分されているから、この突出部は上下の突出部に区分することができる。上側の突出部は上側第５帯状部４５１と上側第６帯状部４６１とで構成される部位である。また、下側の突出部は下側第５帯状部４５２と下側第６帯状部４６２とで構成される部位である。そして、スリットｙに上側内容物挟持片２２０の端部や下側内容物挟持片３２０の端部を差し込むことにより、上下の突出部の間、すなわち、上側第５帯状部４５１と下側第５帯状部４５２との間及び上側第６帯状部４６１と下側第６帯状部４６２との間にこれら内容物挟持片２２０，３２０を挟持して、上下方向に移動困難にこれら内容物挟持片２２０，３２０を固定することができる。なお、この突出部も進退自在である。
【００６２】
以上、本発明の包装箱のブランクＡについて説明したが、この説明から、このブランクＡの組み立て方は明らかと思われる。念のため、このブランクＡから包装箱を組み立てる工程を説明する。
【００６３】
包装箱を組み立てる際には、まず、突出部構成領域を組み立てる。すなわち、第２折り曲げ罫線４０ｃ、第５折り曲げ罫線４０ｏ、第７折り曲げ罫線４０ｕを山折りして、その端部の第８帯状部４８０を接着片として左側面板１４０に接着することにより、この折り曲げられた突出部構成領域と左側面板１４０の両者によって角筒状に構成する（図３参照）。
【００６４】
次に、下側挟持領域を組み立てる。すなわち、折り曲げ罫線３０ａを山折りすることにより、左側面板１４０の内面側に沿うように繋ぎ片３１０を折り重ねる。そして、折り曲げ罫線３０ｂを谷折りすることにより、下側内容物挟持片３２０が筒状周壁に囲まれた内容物収容部を上下方向に区分するように配置する。また、同様に上側挟持領域を組み立てる。すなわち、折り曲げ罫線２０ａを山折りすることにより、左側面板１４０の内面側に沿うように繋ぎ片２１０を折り重ねる。そして、折り曲げ罫線２０ｂを谷折りすることにより、上側内容物挟持片２２０が筒状周壁に囲まれた内容物収容部を上下方向に区分するように構成する。このように組み立てたとき、上側内容物挟持片２２０と下側内容物挟持片３２０とは互いに密着しているか、あるいは互いにわずかな隙間を介して上下方向に配列している。図４はこの状態を示しており、図４（ａ）はその説明用要部斜視図、図４（ｂ）はその説明用要部断面図である。
【００６５】
そして、次に、突出部構成領域の第１折り曲げ罫線４０ｂ及び第３折り曲げ罫線４０ｈを山折し、第２折り曲げ罫線４０ｃを谷折りすることにより、これら第１折り曲げ罫線４０ｂと第３折り曲げ罫線４０ｈとの間の領域、すなわち、第２帯状部４２０と第３帯状部４３０とを内面側に突出させて、突出部を形成する。前述のように、第２帯状部４２０と第３帯状部４３０には、これらに跨ってスリットｘが設けられているから、このスリットｘに上側内容物挟持片２２０の端部及び下側内容物挟持片３２０の端部を差し込むことにより、上下の突出部の間、すなわち、上側第２帯状部４２１と下側第２帯状部４２２との間及び上側第３帯状部４３１と下側第３帯状部４３２との間にこれら内容物挟持片２２０，３２０を挟持して、上下方向に移動困難にこれら内容物挟持片２２０，３２０を固定することができる。
【００６６】
また、同様に、第４折り曲げ罫線４０ｋ及び第６折り曲げ罫線４０ｒを山折し、第５折り曲げ罫線４０ｏを谷折りすることにより、これら第４折り曲げ罫線４０ｋと第６折り曲げ罫線４０ｒとの間の領域、すなわち、第５帯状部４５０と第６帯状部４６０とを内面側に突出させて、突出部を形成する。前述のように、第５帯状部４５０はスリットｙによって上下に上側第５帯状部４５１と下側第５帯状部４５２とに区分されており、第６帯状部４６０も上側第６帯状部４６１と下側第６帯状部４６２とに区分されているから、スリットｙに上側内容物挟持片２２０の端部や下側内容物挟持片３２０の端部を差し込むことにより、上下の突出部の間、すなわち、上側第５帯状部４５１と下側第５帯状部４５２との間及び上側第６帯状部４６１と下側第６帯状部４６２との間にこれら内容物挟持片２２０，３２０を挟持して、上下方向に移動困難にこれら内容物挟持片２２０，３２０を固定することができる。
【００６７】
最後に、外箱領域を組み立てることにより、包装箱Ｃを組み立てることができる。すなわち、折り曲げ罫線１０ｄ，１０ｇ，１０ｊを、それぞれ、山折りすることにより、正面板１１０，右側面板１２０、背面板１３０および左側面板１４０で構成され、上下方向に延びる角筒状の周壁を形成すると共に、第１帯状部４１０の外面側に正面板１１０を接着する。そして、折り曲げ罫線１０ｆ，１０ｏを山折りして差込片１２４を差し込むことにより、その底部を底片１２２で閉塞し、また、折り曲げ罫線１０ｅ，１０ｋを山折りして差込片１２３を差し込むことにより、その上部を蓋片１２１で閉塞することにより、前記包装箱Ｃを組み立てることができる。
【００６８】
こうして組み立てられた包装箱Cは図６に示すようなものである。すなわち、この包装箱Ｃは直方体形状を有しており、その周壁は、いずれも矩形状の正面板１１０，右側面板１２０、背面板１３０、左側面板１４０で構成されており、その上下を蓋片１２１及び底片１２２で閉塞して、その内部を内容物収容部としている。
【００６９】
そして、その内容物収容部は、上側内容物挟持片２２０及び下側内容物挟持片３２０によって上下方向に区分されている。これら上側内容物挟持片２２０及び下側内容物挟持片３２０は、いずれも、内容物収容部の断面形状にほぼ等しい矩形状である。そして、これら矩形状上側内容物挟持片２２０及び矩形状下側内容物挟持片３２０は、いずれも、その一辺（折り曲げ罫線２０ｂ及び折り曲げ罫線３０ｂ）を固定部位として、上下方向に移動困難に左側面板１４０の内面に固定されている。なお、これら折り曲げ罫線２０ｂ及び折り曲げ罫線３０ｂはいずれも、左側面板１４０の内面に位置しており、互いに重なり合っている。
【００７０】
そして、右側面板１２０の内面には第４帯状部４４０が重ねられており、その両角部には突出部が包装箱Ｃの内面方向に突出している。この突出部はスリットｘ又はスリットｙを介して上下方向に並んだものである。一方の角部においては、上側の突出部は上側第２帯状部４２１と上側第３帯状部４３１とで構成されており、下側の突出部は下側第２帯状部４２２と下側第３帯状部４３２とで構成されている。また、他方の角部においては、上側の突出部は上側第５帯状部４５１と上側第６帯状部４６１とで構成されており、下側の突出部は下側第５帯状部４５２と下側第６帯状部４６２とで構成されている。そして、上側内容物挟持片２２０及び下側内容物挟持片３２０の端部は、これらスリットｘ及びスリットｙに差し込まれて、上下の突出部に挟持されて、上下方向に移動困難に固定されている。
【００７１】
そして、このように上側内容物挟持片２２０及び下側内容物挟持片３２０は、その固定
部位（折り曲げ罫線２０ｂ及び折り曲げ罫線３０ｂ）と突出部とで固定されているから、上下方向に移動することなく、これら上側内容物挟持片２２０及び下側内容物挟持片３２０に挟まれた内容物を緊密に固定できる。
【００７２】
なお、以上の組み立て工程の説明において、内容物を収容する工程の説明を省略したが、突出部は進退自在に構成されているため、任意の適切な工程で内容物を収容することが可能である。例えば、下側挟持領域を組み立てた後、内容物を下側内容物挟持片３２０のフレキシブルフィルムＢの上に載置し、次に上側挟持領域を組み立てて、上側内容物挟持片２２０のフレキシブルフィルムＢを内容物に被せることによって、内容物を収容することができる。また、突出部は進退自在に構成されているから、この包装箱を組み立てた後、突出部を解消させて内容物を収容することもできる。すなわち、この突出部を解消したとき、上側内容物挟持片２２０及び下側内容物挟持片３２０は、いずれも、その端部がスリットｘ及びスリットｙから抜けて自由になり、折り曲げ罫線２０ｂや折り曲げ罫線３０ｂを中心として回動自在になるから、上側内容物挟持片２２０を回動させて、下側内容物挟持片３２０のフレキシブルフィルムＢの上に内容物を載置し、次に上側内容物挟持片２２０のフレキシブルフィルムＢを内容物に被せることによって、内容物を収容することができる。
【００７３】
以上、突出部を角部に有する包装箱を例として本発明を説明したが、突出部は辺に設けられていてもよい。また、この例では、上側内容物挟持片２２０の固定位置（すなわち、折り曲げ罫線２０ｂの位置）と下側内容物挟持片３２０の固定位置（すなわち、折り曲げ罫線３０ｂの位置）とが互いに同一の位置に配置されていたが、これらが互いに隣接する辺に設けられていてもよい。
【００７４】
図７は、上側内容物挟持片２２０の固定位置と下側内容物挟持片３２０の固定位置を別の紙片の配置し、かつ、突出部を辺に設けた包装箱のブランクＡ’を示すものであり、図８はこのブランクを使用した包装箱組み立て工程の説明用要部斜視図である。また、図９はその包装箱Ｃ’の明用斜視図である。
【００７５】
このブランクＡ’も、外箱領域、上側挟持領域、下側挟持領域、挟持領域の４つの領域で構成されている。
【００７６】
外箱領域は、その主要部が、正面板１１０’，右側面板１２０’、背面板１３０’、左側面板１４０’、蓋片１２１’及び底片１２２’で構成されている。これらを組み立てることにより、包装箱Ｃ’の外面を構成することができる。
【００７７】
上側挟持領域は、折り曲げ罫線２０ａ’を介して左側面板１４０’の右側に連接された上側補助板２１０’と、切り込み線を介して左側面板１４０’の右側に連接された上側内容物挟持片２２０’とで構成されている。なお、上側補助板２１０’と上側内容物挟持片２２０’とは、折り曲げ罫線２０ｂ’を介して上下方向に連接している。
【００７８】
次に、下側挟持領域は、折り曲げ罫線３０ａ’を介して上側補助板２１０’の右側に連接された下側補助板３１０’と上側内容物挟持片２２０’の右側に連接された下側内容物挟持片３２０’とで構成されている。なお、下側補助板３１０’と下側内容物挟持片３２０’とは、折り曲げ罫線３０ｂ’を介して上下方向に連接している。
【００７９】
この例では、上側内容物挟持片２２０’は、その中央に孔が設けられ、この孔を塞ぐようにフレキシブルなフィルムＢが貼り合わされて構成されたものであるが、下側内容物挟持片３２０’は孔のない紙片で構成されている。
【００８０】
次に、挟持領域は、下側補助板３１０’及び下側内容物挟持片３２０’の右側に、折り曲げ罫線４０ａ’を介して連接された領域である。この領域には、５本の折り曲げ罫線４０ｂ’，４０ｃ’，４０ｄ’，４０e’，４０ｆ’が設けられており、これら折り曲げ罫線４０ｂ’，４０ｃ’，４０ｄ’，４０e’，４０f’によって、６つの領域に区分されている。そして、第１折り曲げ罫線４０ｂ’から第４折り曲げ罫線４０ｅ’に跨って、スリットｘ’が設けられている。このスリットｘ’は、折り曲げ罫線２０ｂ’及び折り曲げ罫線３０ｂ’の両者と平行に設けられている。
【００８１】
このブランクＡ’は、次のように組み立てることができる。すなわち、折り曲げ罫線２０ａ’を山折りすると共に、上側補助板２１０’と上側内容物挟持片２２０’との間の折り曲げ罫線２０ｂ’を折り曲げて、上側内容物挟持片２２０’と左側面板１４０’とが垂直になるように構成する。また、併せて、折り曲げ罫線３０ａ’を山折りすると共に、下側補助板３１０’と下側内容物挟持片３２０’との間の折り曲げ罫線３０ｂ’を折り曲げて、下側内容物挟持片３２０’とが垂直になるように構成する。このとき、上側内容物挟持片２２０’と下側内容物挟持片３２０’とは互いに重なり合う。なお、このとき、折り曲げ罫線２０ｂ’及び折り曲げ罫線３０ｂ’が固定部位であり、上側内容物挟持片２２０’及び下側内容物挟持片３２０’は、これら折り曲げ罫線２０ｂ’及び折り曲げ罫線３０ｂ’を中心として上下方向に回動自在である。なお、折り曲げ罫線２０ｂ’の位置、すなわち、上側内容物挟持片２２０’の固定部位と、上側内容物挟持片２２０’の固定部位（折り曲げ罫線３０ｂ’の位置）とは重なっておらず、異なる位置に配置されている。
【００８２】
そして、次に、折り曲げ罫線４０ａ’及び第１折り曲げ罫線４０ｂ’を山折りし、第２折り曲げ罫線４０ｃ’及び第３折り曲げ罫線４０ｄ’を谷折りし、第４折り曲げ罫線４０ｅ’及び第５折り曲げ罫線４０f’を山折りして、その端部の領域を左側面板１４０’に接着することにより、図８に示すように、第１折り曲げ罫線４０ｂ’から第４折り曲げ罫線４０ｅ’までの領域を内側に突出させて、突出部とすることができる。前述のように、スリットｘ’が第１折り曲げ罫線４０ｂ’から第４折り曲げ罫線４０ｅ’に跨って設けられているから、この突出部は、スリットｘ’によって、上下方向に並んだ上側の突出部と下側の突出部とに区分されている。このため、この挟持領域を組み立てるに当って、上側内容物挟持片２２０’の端部及び下側内容物挟持片３２０’の端部をスリットｘ’に差し込むことにより、これら上側内容物挟持片２２０’の端部及び下側内容物挟持片３２０’の端部の両者を上側の突出部と下側の突出部との間に挟持し、上下方向に移動困難に固定することができる。
【００８３】
そして、最後に、外箱領域を組み立てて、この例における包装箱Ｃ’を製造することができる。その斜視図を図９に示す。この図９から分かるように、上側内容物挟持片２２０’の固定部位（折り曲げ罫線２０ｂ’の位置）は、背面板１３０’の内面側に重なって位置している。突出部は正面板１１０’の内面側に重なっているから、矩形状上側内容物挟持片２２０’の一辺を固定部位（折り曲げ罫線２０ｂ’の位置）とすると、この辺に対向する辺に突出部が配置されていることになる。一方、下側内容物挟持片３２０’の固定部位（折り曲げ罫線３０ｂ’の位置）は、右側面板１２０’の内面側に重なって位置しているから、矩形状下側内容物挟持片３２０’の一辺を固定部位（折り曲げ罫線３０ｂ’の位置）とすると、この辺に隣接する辺に突出部が配置されていることになる。
【符号の説明】
【００８４】
１１０：正面板    １２０：右側面板    １３０：背面板    １４０：左側面板    １２１：蓋片    １２２：底片
２１０：繋ぎ片    ２２０：上側内容物挟持片    ２２１：孔    ２２２：枠状部位
３１０：繋ぎ片    ３２０：下側内容物挟持片    ３２１：孔    ３２０２：枠状部位
４１０〜４８０：第１帯状領域〜第８帯状領域
２０ｂ：上側内容物挟持片の固定部位を示す折り曲げ罫線    ３０ｂ：下側内容物挟持片の固定部位を示す折り曲げ罫線
【図１】
2019006402.tif 000003
【図２】
2019006402.tif 000004
【図３】
2019006402.tif 000005
【図４】
2019006402.tif 000006
【図５】
2019006402.tif 000007
【図６】
2019006402.tif 000008
【図７】
2019006402.tif 000009
【図８】
2019006402.tif 000010
【図９】
2019006402.tif 000011
【図１０】
2019006402.tif 000012